(57)【要約】    【課題】頭出し位置を簡易かつ短時間で任意の位置に指定する方法を提供する。    【解決手段】頭出し位置指定装置１は、音声データ記憶部１００、頭出し位置指定手段１０２、頭出し位置記憶部１０４を備えている。音声データ記憶部１００には、会議録などの音声データが記憶される。頭出し位置指定手段１０２は、音声データの再生または録音の際に、頭出し位置指定基準時から所定時間だけ過去または未来の時刻を頭出し位置として指定するための手段である。音声データ記憶部１０４には、頭出し位置指定手段１０２が指定した頭出し位置が記憶される。【選択図】図１
2006236517.tif 000002
【特許請求の範囲】
【請求項１】
音声データの頭出し位置を指定する頭出し位置指定装置であって、
音声データを記憶する音声データ記憶部、
音声データの再生または録音の際に、頭出し位置指定基準時から所定時間だけ過去または未来の時刻を頭出し位置として指定する頭出し位置指定手段、
音声データについて指定した前記頭出し位置を記憶する頭出し位置記憶部、
を備えたことを特徴とする頭出し位置指定装置。
【請求項２】
請求項１の頭出し位置指定装置において、
前記音声データについて頭出し開始位置および頭出し終了位置を頭出し位置指定範囲として設定し、
当該頭出し位置指定範囲において頭出し位置を任意に指定した、
ことを特徴とするもの。
【請求項３】
請求項２の頭出し位置指定装置において、
前記音声データについて頭出し位置指定範囲を複数設定し、
各頭出し位置指定範囲において頭出し位置を任意に指定した、
ことを特徴とするもの。
【請求項４】
請求項１〜３の頭出し位置指定装置において、
前記頭出し位置指定手段は、左右に移動可能で移動後は中央に位置し、かつ、押下することが可能なボタンを備えており、
当該ボタンを左右に移動させた回数に基づいて未来または過去の時刻を頭出し位置として特定し、当該ボタンを押下することにより頭出し位置を確定する、
ことを特徴とする頭出し位置指定装置。
【請求項５】
コンピュータを、
音声データを記憶する音声データ記憶部、
音声データの再生または録音の際に、頭出し位置指定基準時から所定時間だけ過去または未来の時刻を頭出し位置として指定する頭出し位置指定手段、
音声データについて指定した前記頭出し位置を記憶する頭出し位置記憶部、
として機能させることを特徴とする頭出し位置指定プログラム。
【請求項６】
音声データの頭出し位置を指定する頭出し位置指定方法であって、
音声データ記憶部に音声データを記憶し、
頭出し位置指定手段により、当該音声データの再生または録音の際に、頭出し位置指定基準時から所定時間だけ過去または未来の時刻を頭出し位置として指定し、
頭出し位置記憶部に音声データについて指定した前記頭出し位置を記憶する、
を備えたことを特徴とする頭出し位置指定方法。
【発明の詳細な説明】
【技術分野】
【０００１】
本発明は、音声データについて行う頭出し位置指定技術に関するものである。
【背景技術】
【０００２】
従来から、音声データについての頭出し位置指定方法としては、特許文献１、２に示するような、頭出し位置を指定した操作時を頭出し位置とする方法が一般に知られている。
【０００３】
【特許文献１】特開平０９−０５０６５８号公報
【０００４】
【特許文献２】特開平０９−２４５４１３号公報
【発明の開示】
【発明が解決しようとする課題】
【０００５】
しかしながら、これらの方法によれば、録音や再生中に頭出し位置指定の操作が遅れた場合等には頭出し位置の指定ができない。このため、録音や再生時に正確に頭出し位置を指定するためには操作者が常に頭出し位置を適切に指定しなければならず会議の内容に集中したいユーザーにとっては特に面倒な作業となる。また、音声データの再生時に頭出し位置の指定をする場合には、頭出し位置を指定したい位置まで早送りしなければならないため、時間がかかり不便であるといった問題があった。
【０００６】
本発明の目的は、上記問題を解決し、頭出し位置を簡易かつ短時間で任意の位置に指定する方法を提供することにある。
【課題を解決するための手段】
【０００７】
（１）この発明の頭出し位置指定装置は、
音声データの頭出し位置を指定する頭出し位置指定装置であって、
音声データを記憶する音声データ記憶部、
音声データの再生または録音の際に、頭出し位置指定基準時から所定時間だけ過去または未来の時刻を頭出し位置として指定する頭出し位置指定手段、
音声データについて指定した前記頭出し位置を記憶する頭出し位置記憶部、
を備えたことを特徴とする。
【０００８】
これにより、例えば、録音または再生中に適切な頭出し位置を操作者が指定し忘れてしまったような場合でも、時間を隔てて適当な頭出し位置を指定することが可能となる。また、再生時に早送りや巻き戻しをすることなく適当な頭出し位置を短時間で指定することが可能となる。すなわち、頭出し位置を簡易かつ短時間で任意の位置に指定することができる。
【０００９】
（２）この発明の頭出し位置指定装置は、
前記音声データについて頭出し開始位置および頭出し終了位置を頭出し位置指定範囲として設定し、
当該頭出し位置指定範囲において頭出し位置を任意に指定した、
ことを特徴とする。
【００１０】
これにより、特定の頭出し位置指定範囲において、頭出し位置を簡易かつ短時間で任意の位置に指定することができる。
【００１１】
（３）この発明の頭出し位置指定装置は、
前記音声データについて頭出し位置指定範囲を複数設定し、
各頭出し位置指定範囲において頭出し位置を任意に指定した、
ことを特徴とする。
【００１２】
これにより、音声データを複数の頭出し位置指定範囲毎に、簡易かつ短時間で任意の位置に指定することができる。さらに、頭出し再生を行う際においては、頭出し位置指定範囲を特定してから頭出しを行うことが可能となり、より短時間で適切な頭出し位置から再生を行うことができる。
【００１３】
（４）この発明の頭出し位置指定装置は、
前記頭出し位置指定インターフェースが、左右に移動可能で移動後は中央に位置し、かつ、押下することが可能なボタンを備えており、
当該ボタンを左右に移動させた回数に基づいて未来または過去の時刻を頭出し位置として特定し、当該ボタンを押下することにより頭出し位置を確定する、
ことを特徴とする。
【００１４】
これにより、頭出し位置指定インターフェースであるボタンの操作のみで、音声データを複数の頭出し位置指定範囲毎に、簡易かつ短時間で任意の位置に指定することができる。
【００１５】
（５）この発明の頭出し位置指定プログラムは、
コンピュータを、
音声データを記憶する音声データ記憶部、
音声データの再生または録音の際に、頭出し位置指定基準時から所定時間だけ過去または未来の時刻を頭出し位置として指定する頭出し位置指定手段、
音声データについて指定した前記頭出し位置を記憶する頭出し位置記憶部、
として機能させることを特徴とする。
【００１６】
（６）この発明の頭出し頭出し位置指定方法は、
音声データの頭出し位置を指定する頭出し位置指定方法であって、
音声データ記憶部に音声データを記憶し、
頭出し位置指定手段により、当該音声データの再生または録音の際に、頭出し位置指定基準時から所定時間だけ過去または未来の時刻を頭出し位置として指定し、
頭出し位置記憶部に音声データについて指定した前記頭出し位置を記憶する、
を備えたことを特徴とする。
【００１７】
これにより、例えば、録音または再生中に適切な頭出し位置を操作者が指定し忘れてしまったような場合でも、時間を隔てて適当な頭出し位置を指定することが可能となる。また、再生時に早送りや巻き戻しをすることなく適当な頭出し位置を短時間で指定することが可能となる。すなわち、頭出し位置を簡易かつ短時間で任意の位置に指定することができる。
【発明を実施するための最良の形態】
【００１８】
１．機能ブロック図（図１）
図１は、本発明による頭出し位置指定装置１の機能ブロック図である。図１に示すように、この発明の頭出し位置指定装置１は、音声データ記憶部１００、頭出し位置指定手段１０２、頭出し位置記憶部１０４を備えている。
【００１９】
図１に示す音声データ記憶部１００には、会議録などの音声データが記憶される。頭出し位置指定手段１０２は、音声データの再生または録音の際に、頭出し位置指定基準時から所定時間だけ過去または未来の時刻を頭出し位置として指定するための手段である。音声データ記憶部１０４には、頭出し位置指定手段１０２が指定した頭出し位置が記憶される。
【００２０】
２．頭出し位置指定装置１のハードウェア構成など（図２〜図６）
図２に、本発明の頭出し位置指定装置１のハードウェア構成を示す。なお、この実施形態においては、コンピュータによって頭出し位置指定装置１を実現しているが、ICレコーダなどの録音再生専用機器によって実現してもよい。
【００２１】
図２に示す頭出し位置指定コンピュータ（頭出し位置指定装置）１は、ＣＰＵ１０、ディスプレイ１２、ハードディスク１４、メモリ１６、キーボード／マウス１８、ＣＤ−ＲＯＭドライブ２０、音声入力マイク２４、音声出力スピーカー２６を備えている。
【００２２】
図２のハードディスク１４には、音声データの頭出し位置を指定する処理を行うための頭出し位置指定プログラム３０が記録されている。また、図２に示す頭出し位置指定プログラム３０は、音声データ記憶部１００（図１）である音声データＤＢ３２および頭出し位置記憶部１０４（図１）である頭出し位置記憶テーブル３４を備えている。頭出し位置指定プログラム３０は、ＣＰＵ１０、ディスプレイ１２、ハードディスク１４、メモリ１６、キーボード／マウス１８などを有するコンピュータを、図１に示す音声データ記憶部１００、頭出し位置指定手段１０２、頭出し位置記憶部１０４として機能させるためのプログラムである。なお、頭出し位置指定プログラム３０のハードディスク１４へのインストールは、ＣＤ−ＲＯＭドライブ２０を介してＣＤ−ＲＯＭ２２に記録されたデータを読み出して行われる。
【００２３】
図３は、音声入力マイク２４（図２）を介して音声データＤＢ３２に記憶されるデータの例を示す図である。図３に示すように、音声データＤＢ３２には、音声データ毎に、ＩＤ、データ名、アドレスがそれぞれ記憶されている。例えば、図３に示す音声データＩＤ「０００１」については、データ名「会議録１」、アドレス「Ｃ：Ｍｙ  Ｄｏｃｕｍｅｎｔｓ￥会議録１．ｗａｖ」が記憶される。なお、これらの音声データは、頭出し位置の指定を録音と同時に行う場合には頭出し位置指定時に記憶され、音声データを再生中に頭出し位置を指定するような場合には頭出し位置指定の前に予め記憶される。
【００２４】
図４は、頭出し位置記憶テーブル３４のデータ例を示す図である。図４に示すように、頭出し位置記憶テーブル３４には、音声データＤＢ３２に記憶される音声データのＩＤと、そのＩＤに対応した位置データおよび属性データが記憶される。ここで、位置データは、各音声データについての位置に関するデータである。図４においては、時刻により位置を特定するようにしている。属性データは、その位置データが、頭出し開始位置、頭出し終了位置、頭出し位置の何れに関するものであるかを示すデータである。図４においては、頭出し位置を「ｃｕｅ」とし、その開始位置を「ｓｔａｒｔ」とし、終了位置を「ｅｎｄ」として区別している。
【００２５】
つまり、図４に示す頭出し位置記憶テーブル３４から、図３の音声データ「会議録１」（ＩＤ＝「０００１」）については、頭出し開始位置（ｓｔａｒｔ）が時間「００：００」、頭出し終了位置（ｅｎｄ）が「５２：５６」であり、頭出し位置（ｃｕｅ）が「０３：１５」「１８：４１」「３３：１７」の３カ所であることが分かる。図５Ａのタイムチャートに、会議録１についての頭出し位置ｃｕｅ１〜３を表す。なお、図５Ｂ〜Ｄは、後述する頭出し位置指定時における図５Ａの頭出し位置ｃｕｅ１〜３の部分をそれぞれ拡大した図である。
【００２６】
図６は、頭出し位置指定プログラム３０のＧＵＩを示すディスプレイ１２の表示例である。図６に示すように、頭出し位置指定プログラム３０のＧＵＩは、入力インジケータ４０、音声データファイル欄４２、頭出し移動値欄４４、録音ボタン４６、再生ボタン４８、停止ボタン５０、頭出し位置指定ボタン５２、５４（過去指定ボタン５２、未来指定ボタン５４）、確定ボタン５６を備えている。
【００２７】
頭出し位置指定ボタン５２、５４（過去指定ボタン５２、未来指定ボタン５４）は、頭出し位置を特定するためのボタンであり、確定ボタン５６は、頭出し位置指定ボタン５２、５４により特定した頭出し位置を確定させるためのボタンである。
【００２８】
図６の頭出し移動値設定欄４４には、録音時に頭出し指定ボタン５２、５４を押下した回数に応じて移動する単位時間（頭出し移動値）が入力される。図６に示すように頭出し移動値設定欄４４に「５ｓｅｃ（秒）」が入力されている場合、会議録１（ＩＤ＝「０００１」）の録音中、例えば、図５Ｂに示すように、時刻「０３：２０」（ｂａｓｉｓ１）において過去指定ボタン５２が１回押下されると、５秒（１回押下分）過去の時刻「０３：１５」が頭出し位置（ｃｕｅ１）として特定される。さらに、確定ボタン５６が押下されることにより時刻「０３：１５」が頭出し位置として確定され、頭出し位置記憶テーブル３４に記憶されることになる。なお、頭出し移動値設定欄４４に入力する頭出し移動値は、例えば、１５秒、１０分とする等、任意に設定することが可能であり、さらに、頭出し操作時において自在に変更することも可能である。
【００２９】
３．頭出し位置指定処理などのフローチャート（図７〜図１０）
つぎに、図７〜図９に示す頭出し位置指定処理に関する各フローチャートを用いて、録音中に頭出し位置を任意の位置に指定する場合について説明する。
【００３０】
図７は、録音ボタン４６（図６）の押下に基づき、頭出し開始位置を設定する際の処理を示すフローチャートである。図８は、頭出し位置指定ボタン５２、５４および確定ボタン５６（図６）の押下に基づき、頭出し位置を任意に指定する際の処理を示すフローチャートである。図９は、停止ボタン５０（図６）の押下に基づき、頭出し終了位置を設定する際の処理を示すフローチャートである。
【００３１】
まず、録音開始時における処理について、図７を用いて、以下に説明する。
【００３２】
ＣＰＵ１０は、図７に示すように、まず、図６に示す録音ボタン４６が押下されるか否かを判断する（ステップＳ１０）。録音開始ボタン４６が押下されると、音声入力マイク２４から入力された音声データがアナログ−デジタル変換される（ステップＳ１２）。
【００３３】
デジタル変換された音声データは、ＩＤ、アドレスと共に、音声データＤＢ３２に蓄積される（ステップＳ１４）。例えば、図３に示す音声データＤＢ３２には、音声データ「会議録１」（ＩＤ＝「０００１」）が蓄積される。
【００３４】
さらに、頭出し位置記憶テーブル３４には、音声データＩＤについての位置データと属性データが記憶される（ステップＳ１６）。例えば、図４に示す頭出し位置記憶テーブル３４には、音声データ「会議録１」（ＩＤ＝「０００１」）について、位置データ「００：００」と頭出し開始位置であることを示す属性データ「ｓｔａｒｔ」が記憶される。
【００３５】
つぎに、録音を開始した後に、頭出し位置を任意の位置に記録する方法について、図８を用いて、以下に説明する。
【００３６】
図７に示す録音開始処理の後、ＣＰＵ１０は、頭出し指定ボタン５２、５４の何れかが押下されたか否かを判断する（ステップＳ２０）。頭出し指定ボタン５２、５４の何れかが押下された場合には、頭出し位置指定ボタン５２、５４が押下された回数を計数する（ステップＳ２２）。
【００３７】
さらに、ＣＰＵ１０は、確定ボタンが押下されるか否かを判断する（ステップＳ２４）。確定ボタン５６が押下されると、図６に示す頭出し位置移動値テーブルの頭出し移動値設定欄４４から頭出し移動値を取得して、頭出し位置を算出する。
【００３８】
具体的には、過去指定ボタン５２が押下された場合には、頭出し位置指定基準時（最初に過去指定ボタン５２が押下された時刻）から、過去指定ボタン５２が押下された回数分だけ頭出し位置移動値を引算して頭出し位置の時刻を算出する。例えば、図５Ｃに示すように、頭出し位置指定基準時ｂａｓｉｓ２が時刻「１８：５１」であり、過去指定ボタン５２が２回押下された場合には、１０秒（頭出し位置移動値５秒×２回）分だけ引算された時刻「１８：４１」が頭出し位置ｃｃｕｅ２として指定される。
【００３９】
同様に、未来指定指示ボタン５４が押下された場合には、押下された回数分だけ頭出し位置指定基準時（最初に過去指定指示ボタンが押下された時刻）に、頭出し位置移動値を加算して頭出し位置の時刻を算出する。例えば、図５Ｄに示すように、頭出し位置指定基準時ｂａｓｉｓ３が時刻「３３：１２」で、未来指定ボタン５２が１回押下された場合には、５秒（頭出し位置移動値５秒×１回）分だけ加算された時刻「３３：１７」が頭出し位置ｃｕｅ３として指定される。
【００４０】
以上のように算出された頭出し位置の位置データは、属性データと共に頭出し位置記憶テーブル３４に記憶される（ステップＳ２８）。例えば、図４に示すように、頭出し位置記憶テーブル３４には、音声データ「会議録１」（ＩＤ＝「０００１」）について、位置データ「１８：４１」および属性データ「ｃｕｅ２」や、位置データ「３３：１７」および頭出し位置であることを示す属性データ「ｃｕｅ３」が記憶される。
【００４１】
つぎに、録音終了時における処理について、図９を用いて、以下に説明する。
【００４２】
ＣＰＵ１０は、図９に示すように、図６に示す停止ボタン５０が押下されるか否かを判断する（ステップＳ３０）。停止ボタン５０が押下されると、音声データの記憶を停止する（ステップＳ３２）。
【００４３】
さらに、頭出し位置記憶テーブル３４には、音声データＩＤについての位置データと属性データに、それぞれ終了位置および記録終了を示すデータが記憶される（ステップＳ１６）。例えば、図４に示す頭出し位置記憶テーブル３４には、音声データ「会議録１」（ＩＤ＝「０００１」）について、位置データ「５２：５６」、属性データ「ｅｎｄ」が記憶される。
【００４４】
以上のように、頭出し位置指定プログラム３０により、音声データを録音中に、頭出し開始位置および頭出し終了位置を頭出し位置指定範囲として設定し、頭出し位置を任意の位置に指定する処理が行われる。  
さらに、図１０および図１１を用いて、頭出し位置を指定した音声データの再生時における頭出し方法について説明する。図１０は、音声再生プログラムの操作画面を示すディスプレイ１２の表示例である。図１１は、頭出し指定を行った音声データの再生時における頭出し処理を示すフローチャートである。
【００４５】
図１０に示すように、音声再生プログラムのＧＵＩは、入力インジケータ４０、音声データファイル欄４２、録音ボタン４６、再生ボタン４８、停止ボタン５０、音声データの再生時に頭出しを行うための頭出しボタン６０、６２（過去頭出しボタン６０、未来頭出しボタン６２）を備えている。
【００４６】
図１１に示すように、ＣＰＵ１０は、図１０に示す再生ボタン４８が押下されたか否かを判断する（ステップＳ４０）。図１０に示す再生ボタン４８が押下されると、音声データファイル欄４２の音声データが音声データＤＢ３２から読み出され、音声出力スピーカー２６からデジタル−アナログ変換された音声データが時刻「００：００」から再生される（ステップＳ４２）。
【００４７】
音声データの再生が開始されると、ＣＰＵ１０は、図１０に示す頭出しボタン６０、６２の何れかが押下されたか否かを判断する（ステップＳ４４）。頭出しボタン６０、６２の何れかが押下されると、ＣＰＵ１０は、頭出し位置記憶テーブル３４を参照して、頭出しボタン６０、６２の押下時を基準に、ボタンを押下した回数分だけ離れた頭出し位置に移動して再生を開始する（ステップＳ４６）。具体的には、過去頭出しボタン６０が押下された場合には押下した回数分だけ過去に移動し、未来頭出しボタン６２が押下された場合には押下した回数分だけ未来に移動して再生を開始する。このような処理を音声データの終了位置（頭出し終了位置）に達するまで行う（ステップＳ４８）。
【００４８】
４．他の実施形態
なお、上記実施形態においては、頭出し位置を確定するために、図６に示す確定ボタン５６を用いたが、確定ボタン５６を用いないようにしてもよい。例えば、最初に頭出し位置指定ボタン５２，５４を押下した時点から所定時間経過した時点で自動的に頭出し位置を確定するようにしてもよい。
【００４９】
なお、上記実施形態においては、録音中に頭出し位置の指定を行う場合について説明したが、録音済みの音声データを再生中に頭出し位置を指定する場合にも、同様に頭出し指定の処理を行うことが可能である。
【００５０】
なお、上記実施形態においては、頭出し開始および頭出し終了位置を、録音開始および終了位置とそれぞれ同じ時刻に設定したが、頭出し開始ボタンおよび頭出し終了ボタンを別途設けて、頭出し位置を録音、再生の開始および終了とは別に頭出し開始位置および頭出し終了位置を指定するようにしても良い。例えば、図４に示す音声データ（ＩＤ＝０００２）の頭出し開始位置は、音声データの録音、再生の開始よりも後の時刻「０１：１０」に設定している。この場合、音声データの再生開始は頭出し開始位置から行い、再生終了は頭出し終了位置としてもよい。
【００５１】
なお、上記実施形態においては、１の音声データについて１の頭出し指定範囲を設定するようにしたが、１の音声データについて複数の頭出し位置指定範囲を設定するようにしても良い。これにより、頭出し位置を頭出し位置指定範囲ごとにグループ分けして管理することが可能となり、音声データの再生開始、終了をグループ毎に行えば、より効率的に頭出し再生を行うことができる。さらに、複数の頭出し指定範囲が重なるように設定してもよい。
【００５２】
なお、上記実施形態においては、頭出し位置の指定を行うための操作をパーソナルコンピュータのディスプレイに表示されたＧＵＩによって実現したが、録音機器に頭出し位置指定のためのボタン設けて実現してもよい。例えば、ＩＣレコーダに、図１２に示すようなＸ、Ｙ方向（左右）に移動可能で移動後は中央に位置し、かつ、Ｚ方向に移動（押下）することが可能なボタン２００を設けて、頭出し位置の指定操作を行うことも可能である。
【００５３】
図１２は、ＩＣレコーダに設けられる頭出し操作ボタン２００を示す図である。図１２に示す頭出し操作ボタン２００は、Ｘ、Ｙ方向に移動させた回数に基づいて、図６に示す過去指定ボタン５２、未来指定ボタン５４を押下した場合と同様に頭出し位置を特定し、Ｚ方向に押下させることにより図６に示す確定ボタン５６を押下した場合と同様に頭出し位置を確定させることが可能なボタンである。
【図面の簡単な説明】
【００５４】
【図１】本発明による頭出し位置指定装置１の機能ブロック図である。
【図２】本発明の頭出し位置指定装置１のハードウェア構成を示す図である。
【図３】音声データＤＢ３２に記憶される音声データの例を示す図である。
【図４】頭出し位置記憶テーブル３４のデータ例を示す図である。
【図５】頭出し位置を図示するタイムチャートである。
【図６】頭出し位置指定プログラム３０の操作画面を示すディスプレイ１２の表示例である。
【図７】頭出し開始位置を設定する際の処理を示すフローチャートである。
【図８】頭出し位置を指定する際の処理を示すフローチャートである。
【図９】頭出し終了位置を設定する際の処理を示すフローチャートである。
【図１０】頭出し再生プログラムの操作画面を示すディスプレイ１２の表示例である。
【図１１】頭出し指定を行った音声データの再生時における頭出し処理を示すフローチャートである。
【図１２】ＩＣレコーダに設けられる頭出し操作ボタンを示す図である。
【符号の説明】
【００５５】
１・・・・頭出し位置指定装置
１００・・・・音声データ記憶部
１０２・・・・頭出し位置指定手段
１０４・・・・頭出し位置記憶部
１０・・・・ＣＰＵ
１２・・・・ディスプレイ
１４・・・・ハードディスク
１６・・・・メモリ
１８・・・・キーボード／マウス
２０・・・・ＣＤ−ＲＯＭドライブ
２２・・・・ＣＤ−ＲＯＭ
３０・・・・頭出し位置指定プログラム
３２・・・・音声データＤＢ
３４・・・・頭出し位置記憶テーブル
【図１】
2006236517.tif 000003
【図２】
2006236517.tif 000004
【図３】
2006236517.tif 000005
【図４】
2006236517.tif 000006
【図５】
2006236517.tif 000007
【図６】
2006236517.tif 000008
【図７】
2006236517.tif 000009
【図８】
2006236517.tif 000010
【図９】
2006236517.tif 000011
【図１０】
2006236517.tif 000012
【図１１】
2006236517.tif 000013
【図１２】
2006236517.tif 000014